(57)【要約】【課題】整合手段の耐久性を向上させることができると共に、短時間でシート束を整合させることができるシート給送装置を提供する。【解決手段】シート給送装置は、複数枚のシートからなるシート束がシートの重なり方向を略水平方向に向けた状態で載置され、シート給送方向の上流側が上方に傾くように傾動可能に配置される載置台２と、載置台に載置されたシートを搬送路に給送する給送手段５１と、給送手段５によりシートを搬送路に給送する前に、載置台２に載置されたシート束を振動させながら整合させる整合手段６ａ，６ｂと、整合手段６ａ，６ｂによるシート束の整合動作時に、載置台２をシート給送方向の上流側が上方に傾くように整合手段６ａ，６ｂと共に傾動させる傾動手段２３，２４と、を備える。【選択図】図３
2010120734.tif 000002
【特許請求の範囲】
【請求項１】
複数枚のシートからなるシート束がシートの重なり方向を略水平方向に向けた状態で載置され、傾動が可能に配置される載置台と、
該載置台に載置されたシートを搬送路に給送する給送手段と、
該給送手段によりシートを搬送路に給送する前に、前記載置台に載置されたシート束を振動させながら整合させる整合手段と、
該整合手段によるシート束の整合動作の際に、前記載置台のシート給送方向の上流側の部分が上方に変位するように前記整合手段と共に前記載置台を傾動させる傾動手段と、を備える
ことを特徴とするシート給送装置。
【請求項２】
前記整合手段は、前記載置台に載置されたシート束を振動させながらシート給送方向に移動させる振動手段と、シート給送方向に移動したシート束の端部が突き当たる突き当て部と、を備える
ことを特徴とする請求項１に記載のシート給送装置。
【請求項３】
前記振動手段は、前記載置台に載置されたシート束の下方位置に、少なくともシートの給送方向に２箇所配置され、回転動作によりシート束を上下方向に振動させる回転体を備える、
ことを特徴とする請求項２に記載のシート給送装置。
【請求項４】
前記傾動手段は、前記載置台に係合するカム部材と、
該カム部材を回転駆動する駆動手段と、
前記カム部材の回転位置を検出する検出手段と、
該検出手段により検出される前記カム部材の回転位置情報に基づいて前記駆動手段を制御する制御手段と、を備える
ことを特徴とする請求項１〜３のいずれか一項に記載のシート給送装置。
【請求項５】
原稿給送装置により搬送路に給送された原稿の画像を読み取る画像読取装置であって、
前記原稿給送装置として、請求項１〜４のいずれか一項に記載のシート給送装置を用いる、
ことを特徴とする画像読取装置。
【発明の詳細な説明】
【技術分野】
【０００１】
本発明は、スキャナ等の画像読取装置、或いはプリンタやファクシミリ、複写機等の画像形成装置等に搭載されるシート給送装置、及び該シート給送装置を備える画像読取装置に関する。
【背景技術】
【０００２】
複写機、ファクシミリ等に搭載される画像読取装置は、シートを画像読取部に給送するためのＡＤＦ等のシート給送装置を備える。
【０００３】
このようなシート給送装置では、載置台にシート束を載置する際に、シート束の端部を揃える整合作業を行う必要があるが、シート束にサイズの異なるシートが含まれている場合等で、全てのシートが端部を揃えた状態で載置されないことがある。
【０００４】
このような場合には、シートを一枚ずつ分離搬送する際にジャムが発生したり、給紙順が入れ替わる等の問題を引き起こす可能性がある。また、ＭＩＣＲなどの磁気インク文字が印刷されたシートの場合、シートの端部の揃え状態が悪いと、画像読取部と磁気インク文字との相対位置関係を良好に保つことができず、正確な読み取りを行うことができない問題が生じる。
【０００５】
そこで、載置台に載置されたシート束を振動させながらシート束の端部を揃える整合装置を備えるシート給送装置が提案されている（特許文献１）。
【０００６】
このシート給送装置は、図１０に示すように、略水平方向に配置される載置台２を備えており、載置台２には、複数枚のシートからなるシート束がシートの重なり方向を略水平方向に向けた状態で載置される。
【０００７】
シート束の整合時には、載置台２の下方位置に配置された断面矩形状の２つの回転体６ａ，６ｂがシート給送方向（図中矢印方向）に回転する。この回転体６ａ，６ｂの回転動作により、該回転体６ａ，６ｂの角隅部でシート束を繰り返し持ち上げてシート束を振動させ、シート束の底面を揃える。
【０００８】
また、回転体６ａ，６ｂの回転動作により、シート束１３をフィードローラ５１の方向（シート給送方向）へ徐々に搬送して、シート束１３の先端をシャッター４に突き当てることで、シート束の先端を揃える。
【特許文献１】特開２００４−１３１２９０号公報
【発明の開示】
【発明が解決しようとする課題】
【０００９】
ところで、上記特許文献１では、シート束のシート給送方向への搬送力を向上させて、シート束の先端を揃え易くするためには、回転体６ａ，６ｂは、摩擦係数の高いゴム等で形成するのが好ましい。
【００１０】
しかし、回転体６ａ，６ｂを摩擦係数の高いゴム等で形成すると、回転体６ａ，６ｂの角隅部がシート束に繰り返し擦れることで角隅部の摩耗が促進され、シート束を繰り返し持ち上げる量が低減する。このため、シート束の底面を揃えるまでの時間が長くなる。
【００１１】
また、回転体６ａ，６ｂの摩耗粉がシートに付着する等してシートを汚したり、画像読取装置の内部に入り込むおそれがある。画像読取装置の内部に摩耗粉が入り込むと、読取センサや、シートに印字された磁気インク文字を読み込む読取部の性能に悪影響を及ぼす可能性もある。
【００１２】
一方、摩擦係数が低く、耐摩耗性に優れた材料で回転体６ａ，６ｂを形成すると、角隅部の摩耗は軽減されて耐久性を向上させることができるが、シートのシート給送方向の搬送力が低下するため、シートの先端を揃えるまでの時間が長くなる。
【００１３】
そこで、本発明は、整合手段の耐久性を向上させることができると共に、短時間でシート束を整合させることができるシート給送装置及び画像読取装置を提供することを目的とする。
【課題を解決するための手段】
【００１４】
上記目的を達成するために、本発明のシート給送装置は、複数枚のシートからなるシート束がシートの重なり方向を略水平方向に向けた状態で載置され、傾動が可能に配置される載置台と、該載置台に載置されたシートを搬送路に給送する給送手段と、該給送手段によりシートを搬送路に給送する前に、前記載置台に載置されたシート束を振動させながら整合させる整合手段と、該整合手段によるシート束の整合動作の際に、前記載置台のシート給送方向の上流側の部分が上方に変位するように前記整合手段と共に前記載置台を傾動させる傾動手段と、を備えることを特徴とする。
【００１５】
本発明の画像読取装置は、原稿給送装置により搬送路に給送された原稿の画像を読み取る画像読取装置であって、前記原稿給送装置として、請求項１〜４のいずれか一項に記載のシート給送装置を用いることを特徴とする。
【発明の効果】
【００１６】
本発明によれば、整合手段の耐久性を向上させることができると共に、短時間でシート束を整合させることができる。
【発明を実施するための最良の形態】
【００１７】
以下、本発明の実施形態の一例を図を参照して説明する。
【００１８】
図１は本発明のシート給送装置の実施形態の一例である原稿給送装置を説明するための平面図、図２は図１の正面図、図３は図２の状態から載置台を上方に傾動させた状態を示す図である。
【００１９】
図１及び図２に示すように、本実施形態の原稿給送装置１は、複数枚の原稿（シート）１３ａからなる原稿束（シート束）１３を原稿１３ａの重なり方向を略水平方向に向けた状態、すなわち、原稿束１３を立姿勢の状態で載置する載置台２を備える。なお、本実施形態では、原稿束１３を略垂直に立てているが、原稿の重なり方向を略水平方向とする本発明には、原稿を垂直を０°として概ね４０°まで傾けて立てた場合も含まれるものとする。
【００２０】
載置台２の下方位置には、図２及び図３に示すように、後述する整合手段を構成する回転体６ａ，６ｂ及び発光受光型センサ７等が載置台２に一体に取り付けられている。載置台２は、原稿給送方向（シート給送方向）の下流端（図の右端）が不図示の側板等にヒンジ２１を介して略水平位置から下流側の部分を上方向に変位させる傾動が可能に支持されている。かかる傾動時には、回転体６ａ，６ｂ及び発光受光型センサ７等も載置台２と一体となって傾動する。
【００２１】
載置台２の原稿給送方向の上流端には、下方に折り曲げる等して形成された断面略コ字状の係合部２Ｄが設けられており、係合部２Ｄにはカム部材２３が係合可能に配置されている。カム部材２３は、不図示の駆動手段を介して回転駆動されて、係合部２Ｄに係合する位置を変更できるようになっている。
【００２２】
また、カム部材２３の回転位置は、該カム部材２３を厚さ方向に挟むように配置された発光受光型の位置センサ２４により検知され、該位置センサ２４により検知されたカム部材２３の回転位置情報は制御部１１０（図４）に出力される。
【００２３】
そして、制御部１１０は、位置センサ２４により検知されたカム部材２３の回転位置情報に基づいてカム部材２３が所定の回転位置で停止するように駆動手段を制御する。
【００２４】
これにより、載置台２が、略水平位置（図２）と所定角度傾いた位置（図３）との間で回転体６ａ，６ｂ及び発光受光型センサ７等と一体に傾動動作する。
【００２５】
原稿束１３の端部が当接する載置台２の載置面２Ｃには、原稿束１３を整合壁２Ａに押し付ける押圧板３が設けられている。
【００２６】
押圧板３は、不図示の付勢手段により載置台２の整合壁２Ａの方向に付勢されると共に、原稿１３ａを載置台２に載置する際に、載置される原稿１３ａの量に応じて図１の実線位置から二点鎖線の位置までの範囲内で移動可能になっている。
【００２７】
なお、この押圧板３は、後述する原稿束１３の整合動作が開始される際、不図示の移動手段により原稿１３ａを押える位置から二点鎖線の待避位置まで移動するようになっている。
【００２８】
また、押圧板３には、図２及び図３に示すように、後述する整合手段の回転体６ａ，６ｂ等を載置台２と共に傾動させる際に、回転体６ａ，６ｂとの干渉を回避するために切欠き部３ａが形成されている。
【００２９】
載置台２に載置された原稿１３ａは、載置台２を傾けた状態での後述する原稿束１３の整合動作の完了後、載置台２を略水平状態に戻した状態で、給紙ローラ５によって給紙される。
【００３０】
給紙された原稿１３ａは、フィードローラ５１及びリタードローラ５２により搬送路に給送され、原稿１３ａが重なって給紙された場合は、リタードローラ５２により１枚ずつの原稿１３ａに分離された状態でフィードローラ５１により搬送路に給送される。
【００３１】
なお、給紙ローラ５は、図１に示すように、整合壁２Ａから一部が突出した状態で配置されており、また、図２の上下方向（軸方向）に移動可能に支持されている。
【００３２】
給紙ローラ５とフィードローラ５１及びリタードローラ５２との間には、後述する原稿束１３の整合動作の際に原稿束１３の端部が突き当たる突き当て部２Ｂ、及びシャッター４が設けられている。
【００３３】
シャッター４は、原稿１３ａの給紙路に出没自在に設けられ、原稿束１３の整合動作の際に、図２に示すように、載置台２の載置面２Ｃの下方位置（実線）から原稿束１３の先端部が突き当たる位置（二点鎖線）まで突出する。なお、シャッター４は、突出したときに原稿束１３に対して突き当て部２Ｂと略同一面を形成する。
【００３４】
このようにシャッター４を突出させることにより、原稿束１３の整合動作の際に、原稿１３ａがフィードローラ５１及びリタードローラ５２が原稿を挟み込む位置に入り込むことがないようにしている。
【００３５】
また、シャッター４は、原稿束１３の整合動作が終了した後に給紙ローラ５で原稿１３ａを給紙する際には、載置台２の載置面２Ｃの下方位置（図２の実線）に待避する。なお、突き当て部２Ｂ及びシャッター４を載置台２に一体に設けて、載置台２と共に傾動させるようにしてもよい。
【００３６】
載置台２の載置面２Ｃの下方位置には、整合手段を構成する２つの回転体６ａ，６ｂがその軸線を原稿１３ａの重なり方向に向けた状態で原稿給送方向に互いに離間して配置されている。
【００３７】
回転体６ａ，６ｂは、断面矩形状に形成されて、載置台２が傾動した状態のときに回転駆動され、該回転駆動時に外周部の一部が載置面２Ｃから突出するようになっている。
【００３８】
回転体６ａ，６ｂが外周部の一部を載置面２Ｃから突出させながら回転することで、載置面２Ｃに載置された原稿束１３を持ち上げた後、落下させて原稿束１３を振動させつつ先端部が突き当て部２Ｂに突き当たるまで原稿束１３を原稿給送方向に移動させる。これにより、載置台２に載置された原稿束１３の先端部及び底部を揃えることができる。
【００３９】
回転体６ａ，６ｂの軸１０ａ，１０ｂには、プーリ８，９が固着されており、プーリ８，９は、ベルト１１を介して互いに連結されている。プーリ８，９及びベルト１１により、不図示の駆動手段によって駆動される一方の回転体６ａ又は６ｂの回転が他方の回転体６ｂ又は６ａに伝達される。
【００４０】
プーリ９には、突出部１２ａ，１２ｂが周方向に互いに略１８０°離間して設けられている。突出部１２ａ，１２ｂは、プーリ９の回転に伴って回転し、プーリ９が半回転する毎に発光受光型センサ７を遮光する。
【００４１】
突出部１２ａ，１２ｂがプーリ９の一定の回転周期で発光受光型センサ７の光路を遮ると、図４に示す制御部１１０は、これに対応した発光受光型センサ７からの電気信号に基づき回転体６ａ，６ｂの回転位置を検知する。
【００４２】
なお、原稿給送装置１が待機状態のとき、回転体６ａ，６ｂは、図２に示すように、載置面２Ｃから突出せず、載置面２Ｃの下方に退避した位置で停止している。このとき、突出部１２ａ，１２ｂは、発光受光型センサ７の光路を遮るようになっており、これにより制御部１１０は、回転体６ａ，６ｂが待機位置にあると判断する。
【００４３】
図４は、原稿給送装置１の制御系を示すブロック図である。
【００４４】
図４に示すように、原稿給送装置１の制御系は、操作部１００、原稿給送装置１全体を制御する制御部１１０、発光受光型センサ７や位置センサ２４等を含むセンサ類１２０、及びモータ類１３０を備える。
【００４５】
モータ類１３０には、押圧板７やシャッター４、カム部材２３、回転体６ａ，６ｂ、各種ローラ等の各種可動部材を駆動するための駆動手段が含まれる。
【００４６】
次に、上記構成の原稿搬送装置１における載置台２の傾動動作、原稿束１３の整合動作及び整合動作後の原稿１３ａの給送動作について説明する。
【００４７】
複数枚の原稿１３ａを載置台２に載置し、操作部１００の操作スイッチをＯＮ操作すると、押圧板３が、原稿束１３への押圧力を弱めるように、不図示の移動手段により図１の実線位置から二点鎖線で示す位置まで移動して退避する。
【００４８】
これにより、回転体６ａ，６ｂによる原稿束１３の整合動作を妨げることのないようにしている。また、シャッター４は、原稿１３ａの搬送路を遮断するように図２の二点鎖線で示す位置に突出する。
【００４９】
次に、制御部１１０は、位置センサ２４により検知されたカム部材２３の回転位置情報に基づいて、カム部材２３が所定の回転位置で停止するように駆動手段を制御する。
【００５０】
これにより、載置台２を回転体６ａ，６ｂ及び発光受光型センサ７等と共に上流側の部分が上方に変位して所定角度傾いた位置で停止させる。
【００５１】
なお、図３では、カム部材２３が図２の状態から時計回り方向に９０°回転した位置で停止しているが、例えば４５°、１３５°回転した位置で停止するように制御することで、載置台２の傾き角度を調整することができる。
【００５２】
例えば、比較的原稿束が揃っている場合は、載置台２の傾き角度を小さくして整合動作を行い、原稿束の先端部をきれいに揃えたい場合には、載置台２の傾き角度を大きくして整合動作を行うことが可能である。
【００５３】
次に、制御部１１０の制御により、回転体６ａ，６ｂが不図示の駆動手段、プーリ８，９及びベルト１１を介して回転を開始する。
【００５４】
これにより、図５に示すように、回転体６ａ，６ｂの外周部の一部である湾曲した４隅部６０〜６３が傾斜した載置面２Ｃから順次突出して原稿束１３の底面を押し上げた後退避する。
【００５５】
ここで、例えば第１隅部６０が載置台２から突出したときに原稿束１３に接触する点をＰ０とすると、回転体６ａ，６ｂが回転しながら点Ｐ０において原稿束１３と接触する。
【００５６】
その後、原稿束１３は、回転体６ａ，６ｂの回転に追従して載置台２に対して上方向に持ち上げられ、かつ回転体６ａ，６ｂと原稿束１３との摩擦力により、原稿給送方向である搬送路下流側へ移動する。なお、回転体６ａ，６ｂが原稿載置面２Ｃより下面に退避すると、原稿束１３は、重力によって載置面２Ｃまで落下し、かつ搬送路下流側に移動した状態となる。
【００５７】
次に、回転体６ａ，６ｂの回転に伴い、第１隅部６０の回転方向の上流側に位置する第２隅部６１が点Ｐ１で原稿束１３と接触すると、第１隅部６０の場合と同様に、原稿束１３は、回転体６ａ，６ｂの回転方向に追従して載置面２Ｃから持ち上げられる。
【００５８】
回転体６ａ，６ｂが載置台２から退避すると、原稿束１３は、載置面２Ｃまで落下し、かつ搬送路下流側に移動した状態となる。
【００５９】
このように、載置台２を傾斜させた状態での回転体６ａ，６ｂの回転動作により、原稿束１３は、自重、回転体６ａ，６ｂの回転による振動、及び回転体６ａ，６ｂの搬送力によって先端部が突き当て部２Ｂに突き当たるまで搬送路下流側に移動する。
【００６０】
ところで、原稿束１３が回転体６ａ，６ｂの回転動作により突き当て部２Ｂ及びシャッター４に到達した際、原稿束１３の原稿１３ａの内、サイズが小さい原稿は、突き当て部２Ｂ及びシャッター４に到達していない場合がある。
【００６１】
しかし、このような場合でも、サイズの小さい原稿は、引き続き行われる回転体６ａ，６ｂの回転動作により、突き当て部２Ｂ及びシャッター４に向かって徐々に搬送路下流側へと移動する。
【００６２】
なお、既に突き当て部２Ｂ及びシャッター４に突き当たっている原稿１３ａは、原稿給送方向への移動が規制された状態で、回転体６ａ，６ｂの回転動作によって載置面２Ｃに対して上方に持ち上げられた後、再度落下する挙動を繰り返す。
【００６３】
このように、原稿束１３を持ち上げた後、落下させるという振動動作を繰り返すことにより、原稿束１３は載置面２Ｃに対して充分に整合されると共に、原稿間に発生している吸着力が取り除かれて各々の原稿の間に空気層が形成される。
【００６４】
これにより、原稿束１３の分離動作が行われて各原稿間のくっつきが防止され、以後の原稿１３ａの分離給送動作を円滑に行うことができる。
【００６５】
全ての原稿１３ａが載置台２上で十分に整合される時間だけ回転体６ａ，６ｂが回転動作を繰返すと、回転体６ａ，６ｂは、突出部１２ａ又は１２ｂが発光受光型センサ７によって検知される位置で停止するように、制御部１１０によって駆動が制御される。
【００６６】
例えば、制御部１１０は、プーリ９の突出部１２ａ又は１２ｂにより反射型センサ７の光路が遮られた回数をカウントする。そして、制御部１１０は、このカウント値が所定の値に達したときに、回転体６ａ，６ｂの回転を停止させると共に、シャッター４を載置台２から図２に示す実線位置まで退避させるようにそれぞれのモータ類１３０を制御する。
【００６７】
これにより、原稿束１３の整合動作が終了し、回転体６ａ，６ｂは、図２に示すように、載置面２Ｃから退避した位置で停止する。
【００６８】
載置台２での原稿束１３の整合動作が終了すると、制御部１１０は、位置センサ２４により検知されたカム部材２３の回転位置情報に基づいて、カム部材２３が載置台２の傾動前の回転位置で停止するように駆動手段を制御する。
【００６９】
これにより、載置台２を回転体６ａ，６ｂ及び発光受光型センサ７等と共に略水平位置に戻すように傾動させた後、待機位置で停止させる。なお、載置台２の傾きを戻す際にも、回転体６ａ，６ｂを回転させ続けることが、より好適である。
【００７０】
その後、前述したように、給紙ローラ５により原稿１３ａを給紙し、フィードローラ５１及びリタードローラ５２により原稿１３ａを１枚ずつ分離して搬送路に給送する。なお、本実施形態の原稿給送装置１を画像読取装置に適用する場合には、搬送路に給送された原稿の画像が不図示の画像読取部で読み取られ、その後、排出トレイ等に排紙される。
【００７１】
以上説明したように、本実施形態では、原稿１３ａの分離給送動作の前に、載置台２を傾けた状態で回転体６ａ，６ｂを回転動作させることにより該載置台２に載置された原稿束１３を整合する。
【００７２】
このため、摩擦係数が低く、耐摩耗性に優れた材質で回転体６ａ，６ｂを構成して搬送力が低下しても、原稿束１３に対しては、回転体６ａ，６ｂの搬送力及び回転体６ａ，６ｂによる振動に加えて、該原稿束１３の自重による原稿給送方向への滑り力が作用する。
【００７３】
この結果、摩擦係数が低い材料や耐摩耗性を有する材料で回転体６ａ，６ｂを形成して回転体６ａ，６ｂによる推進力が不足した場合でも、載置台２に載置された原稿束１３の先端を揃えるまでの時間を短くすることができる。これにより、回転体６ａ，６ｂの耐久性を向上させることができると共に、短時間で原稿束１３を整合させることができる。なお、回転体６ａ，６ｂに用いる耐摩耗性に優れた材料としては、例えばウレタンエラストマー等がある。
【００７４】
なお、本発明は上記実施形態に例示したものに限定されるものではなく、本発明の要旨を逸脱しない範囲において適宜変更可能である。
【００７５】
例えば、上記実施形態では、回転体６ａ，６ｂが載置台２から退避した状態の位置を待機位置としたが、図６に示すように、回転体６ａ，６ｂの外周部の一部（隅部）が載置台２から突出した状態の位置を待機位置としても良い。
【００７６】
なお、この場合は、回転体６ａ，６ｂの外周部の一部（隅部）が載置台２から突出した状態のときに、回転体６ｂに設けられた突出部１２が発光受光型センサ７の光路を遮るように、回転体６ｂと突出部１２との位置関係が調整される。
【００７７】
このように、回転体６ａ，６ｂがそれぞれ載置台２に対して同一高さだけ突出した状態の位置を待機位置とすることにより、載置面２Ｃに凹凸がある場合でも、原稿束１３を、以後の給紙動作及び給送動作に影響を及ぼすことのない姿勢に保つことができる。
【００７８】
また、回転体６ａ，６ｂの載置台２からの突出量を載置面２Ｃに凹凸状態に応じて調整することにより、原稿束１３をより適切な状態に保つことができる。なお、例えば載置面２Ｃが傾斜している場合には、回転体６ａ，６ｂの載置台２からの突出量が異なる状態を待機位置として、原稿束１３を載置面２Ｃに対して傾斜した状態に保持するようにしても良い。
【００７９】
また、上記実施形態では、回転体６ａ，６ｂの断面を矩形としたが、これに限定されず、図７（ａ）に示す偏心円筒形状の回転体６や、図７（ｂ）に示すカム形状の回転体６であってもよい。
【００８０】
更に、上記実施形態では、少なくとも原稿１３ａの給送方向に２箇所配置された回転体６ａ，６ｂの回転動作により原稿束１３を振動させる場合を例示したが、これに限定されない。
【００８１】
例えば、回転体６ａ，６ｂに代えて、図８（ａ）に示すように、カム部材６Ａと、カム部材６Ａのカム作用により載置面２Ｃから突出及び退避を繰返す振動部材６Ｂとを備えたものを用いてもよい。
【００８２】
この場合、２つのカム部材６Ａの位相を異ならせることにより、振動部材６Ｂが、載置面２Ｃに対して原稿束１３を傾けた状態で原稿給送方向に移動させるように上下方向に振動するようになっている。
【００８３】
また、回転体６ａ，６ｂに代えて、図８（ｂ）に示すように、カム部材６Ａと、カム部材６Ａのカム作用により載置面２Ｃに対して斜め上への突出及び退避を繰返す振動部材６Ｃとを備えたものを用いてもよい。
【００８４】
このように、カム部材６Ａのカム作用により振動部材６Ｂ，６Ｃを上下動させることにより、緩やかな振動で原稿束１３の整合動作を行うことができ、特に原稿が薄く腰の弱いものの場合に効果がある。
【００８５】
更に、原稿束１３の整合動作の動作時間、回転体６ａ，６ｂや振動部材６Ｂ，６Ｃを突出及び退避させる回数及び速さ、原稿束１３の上下方向の振幅等の動作条件の少なくとも一つを原稿束１３の載置量、紙質等の状態に応じて適宜設定することもできる。
【００８６】
この場合、原稿束１３の載置量をセンサ等で検出し、検出量に応じて制御部１１０が動作条件を自動的に設定することで、装置の操作性が向上する。
【００８７】
図９は、原稿束１３の載置量に応じて制御部１１０が動作条件を自動的に設定するようにした本発明のシート給送装置の他の実施形態である原稿給送装置の制御ブロック図である。
【００８８】
図９において、動作条件設定部１４は、操作部１００でのユーザ操作により、原稿束１３の整合動作の動作時間、回転体６ａ，６ｂや振動部材６Ｂ，６Ｃを突出及び退避させる回数及び速さ、原稿１３ａの載置量、紙質等の状態に適した動作条件を設定する。動作条件記憶部１６は、動作条件設定部１６で設定された動作条件を記憶する。整合手段１７は、原稿束１３を整合動作させる回転体６ａ，６ｂを駆動する駆動手段等である。
【００８９】
ここで、制御部１１０は、動作条件設定部１４により設定された設定情報を動作条件記憶部１６に記憶させると共に、原稿束１３の整合動作を行う際、動作条件記憶部１６に記憶された設定条件に基づき、整合手段１７を制御する。
【００９０】
また、原稿載置量検出部１８は、載置台２に載置された原稿１３ａの載置量を検出する手段である。
【００９１】
制御部１１０は、原稿載置量検出部１８の検出量に基づき動作条件記憶部１６に記憶された動作条件のうち、原稿束１３の整合動作の動作時間、回転体６ａ，６ｂや振動部材６Ｂ，６Ｃを突出及び退避させる回数及び速さの少なくとも一つを変更する。原稿積載量検出部１８としては、例えば図１に示すように、押圧板３の位置を検出することにより原稿１３ａの載置量を検知するものが例示できる。
【００９２】
なお、載置台２の下流側の部分の高さは、載置台２の傾動時に変化しない構成とすることが好適であるが、多少上下動するようにしてもよく、本発明に含まれる。
【００９３】
また、上記実施形態では、原稿の整合動作及び原稿の給送動作を順番に自動的に行う動作設定について説明したが、これに限定されない。
【００９４】
例えば、ユーザが原稿の整合動作又は給送動作を希望しない場合には、原稿の給送動作又は整合動作のみを行えるように動作条件設定部１４で設定してもよい。
【００９５】
このように整合動作を選択可能にすることにより、例えば同じサイズの原稿を載置台２に載置した場合等、原稿を整合させる必要のない場合には、直ちに原稿の給送動作を行うことができる。
【００９６】
また、ユーザが原稿束を保管若しくは運搬のために予め充分に端揃えを行いたい場合には、整合動作のみを行うことができ、効率がアップする。
【図面の簡単な説明】
【００９７】
【図１】本発明のシート給送装置の実施形態の一例である原稿給送装置を説明するための平面図である。
【図２】図１の正面図である。
【図３】図２の状態から載置台を上方に傾動させた状態を示す図である。
【図４】原稿給送装置の制御系を示すブロック図である。
【図５】回転体の動作例を説明するための説明図である。
【図６】整合手段の変形例を示す図である。
【図７】整合手段の変形例を示す図である。
【図８】整合手段の変形例を示す図である。
【図９】本発明のシート給送装置の他の実施形態である原稿給送装置の制御ブロック図である。
【図１０】従来のシート給装装置の一例を示す図である。
【符号の説明】
【００９８】
１          原稿搬送装置
２          載置台
２Ａ        整合壁
２Ｂ        突き当て部
２Ｃ        載置面
３          押圧板
４          シャッター
５          給紙ローラ
６ａ，６ｂ  回転体
６Ａ        カム部材
７          発光受光型センサ
１３        原稿束
１３ａ      原稿
１４        動作条件設定部
１６        動作条件記憶部
１７        整合手段
１８        原稿積載量検出部
２１        ヒンジ
２３        カム部材
２４        位置センサ
５１        フィードローラ
５２        リタードローラ
１００      操作部
１１０      制御部
１２０      センサ類
１３０      モータ類
【図１】
2010120734.tif 000003
【図２】
2010120734.tif 000004
【図３】
2010120734.tif 000005
【図４】
2010120734.tif 000006
【図５】
2010120734.tif 000007
【図６】
2010120734.tif 000008
【図７】
2010120734.tif 000009
【図８】
2010120734.tif 000010
【図９】
2010120734.tif 000011
【図１０】
2010120734.tif 000012